(57)【要約】【課題】軸筒内に、ばねにより後方に付勢して前後に移動可能に収容した筆記体の筆記先端部を、軸筒内に配したカム溝と、固定カムと、回転カムとノック体で構成されたノック式繰出機構により、軸筒の先端開口部より出没させるノック式筆記具において、ノック体のノック操作時における回転カムにより発生するノック音を低減したノック式筆記具を提案する。【解決手段】回転カム７の軸部８の後方に、凹溝（図示せず）を形成して該凹溝に、ニトリルゴムからなる回転抑制部材としてのＯリング１７を接着する。回転カム７の回転を止めることのないようにＯリング１７をノック体４の内壁面４ａに当接させて設ける。【選択図】図１
2009292070.tif 000002
【特許請求の範囲】
【請求項１】
軸筒内にばねにより後方に付勢して前後に移動可能に収容した筆記体の筆記先端部を、軸筒内に設けたカム溝と、該カム溝に係合する突起を周側部に有し先端に凹凸部を有したカム溝に沿って前後に移動可能に設けた固定カムと、カム溝に係合するカム突起を周側部に有し前記凹凸部に噛合う噛合部を有した、前端で筆記体の後端部に直接的または間接的に連接し、後端で固定カムに連接しカム溝に沿って前後に移動可能に設けた回転カムと、固定カムを押圧するためのノック体で構成されたノック式繰出機構により、軸筒の先端開口部より出没させるノック式筆記具において、前記回転カムの後端に、ノック体内に位置する軸部を設けるとともに、ノック体の内壁面と軸部の外表面との間に、回転抑制部材を、ノック体の内壁面と軸部の外表面の両方に当接するように配設し、ノック操作時における回転カムの回転力や回転速度を弱めたことを特徴とするノック式筆記具。
【請求項２】
軸筒内にばねにより後方に付勢して前後に移動可能に収容した筆記体の筆記先端部を、軸筒内に設けたカム溝と、該カム溝に係合する突起を周側部に有し先端に凹凸部を有したカム溝に沿って前後に移動可能に設けた固定カムと、カム溝に係合するカム突起を周側部に有し前記凹凸部に噛合う噛合部を有した、前端で筆記体の後端部に直接的または間接的に連接し、後端で固定カムに連接しカム溝に沿って前後に移動可能に設けた回転カムと、固定カムを押圧するためのノック体で構成されたノック式繰出機構により、軸筒の先端開口部より出没させるノック式筆記具において、前記回転カムの後端に、回転抑制部材で形成したノック体内に位置する軸部を、該軸部がノック体の内壁面に当接するように設け、ノック操作時における回転カムの回転力や回転速度を弱めたことを特徴とするノック式筆記具。
【請求項３】
軸筒内にばねにより後方に付勢して前後に移動可能に収容した筆記体の筆記先端部を、軸筒内に設けたカム溝と、該カム溝に係合する突起を周側部に有し先端に凹凸部を有したカム溝に沿って前後に移動可能に設けた固定カムと、カム溝に係合するカム突起を周側部に有し前記凹凸部に噛合う噛合部を有した、前端で筆記体の後端部に直接的または間接的に連接し、後端で固定カムに連接しカム溝に沿って前後に移動可能に設けた回転カムと、固定カムを押圧するためのノック体で構成されたノック式繰出機構により、軸筒の先端開口部より出没させるノック式筆記具において、前記回転カムの後端に、ノック体内に位置する軸部を、後端が指等でノック体を押圧する際にノック体とともに指等に当接可能にノック体の後端に形成した貫通孔より突出するように設け、ノック操作時に、軸部の後端が指等に当接することで回転カムの回転力や回転速度を弱めたことを特徴とするノック式筆記具。
【発明の詳細な説明】
【技術分野】
【０００１】
本発明は、カム溝、固定カム、回転カムおよびノック体とで構成されたノック式繰出機構を有したノック式筆記具に関する。
【背景技術】
【０００２】
従来より、軸筒内にばねにより後方に付勢して前後に移動可能に収容した筆記体の筆記先端部を、カム溝と、該カム溝に係合する突起を周側部に有し先端に凹凸部を有したカム溝に沿って前後に移動可能に設けた固定カムと、カム溝に係合するカム突起を周側部に有し前記凹凸部に噛合う噛合部を有した、前端で筆記体の後端部に直接的または間接的に連接し、後端で固定カムに連接しカム溝に沿って前後に移動可能に設けた回転カムと、固定カムを押圧するためのノック体で構成されたノック式繰出機構により、軸筒の先端開口部より出没させるノック式筆記具は知られている。こうしたノック式筆記具においては、ノック体を押圧すると、ノック体に押圧された固定カムは、固定カムに設けた突起がカム溝に係合しているので回転することなく前進し、回転カムも、該回転カムに設けたカム突起がカム溝に係合して前記突起により押圧されるので、固定カムに連動して前進する。回転カムに当接した筆記体も連動して前進し、筆記先端部を軸筒の先端開口部から突出する。回転カムに設けたカム突起がカム溝の先端に来ると回転してカム溝の係止部に係止し、回転カムの後退は抑制されるので、筆記先端部は軸筒の先端開口部から突出した状態を維持する。筆記先端部を軸筒内に没入させるには、再度ノック体を押圧して回転カムを前進させて、回転カムは回転して回転カムのカム溝の係止部との係止を解除する。それにより、回転カムおよび固定カムはばねにより後端側へ付勢された筆記体を介して後方へ押圧されるので後退し、筆記体も後退して筆記先端部は軸筒内に没入する。
【０００３】
しかし、こうしたカム溝、回転カム、固定カムとで構成される繰出機構を有したノック式筆記具においては、筆記体の筆記先端部を軸筒の先端開口部から突出させるためのノック操作時に、かならずノック音が発生していた。こうしたノック音は、会議中等、僅かな音が響く環境下においては、周囲の人達に不快感を与える虞がある。また高価格な筆記具に至っては、必要以上に大きいノック音は高級感を損ねるという問題がある。本発明者は、こうしたノック音を低減するために種々検討した結果、ノック音は、回転カムが回転してカム溝の係止部に係止する際の衝接音であり、また筆記体の筆記先端部を軸筒の先端開口部に没入させるためのノック操作により、回転カムは前進して回転し、カム突起が隣のカム溝の壁面に衝接した際に発生する衝接音であることが判った。
【０００４】
この衝接音の発生の原因について、図７〜図９を用いて詳述するが、図７は一般的な固定カムの側面図であり、図８は一般的な回転カムの側面図であり、図９は従来のノック式ボールペンにおけるカム溝と、固定カムの凹凸部と突起と、回転カムの噛合部とカム突起の位置関係を示した概念図である。
【０００５】
一般的に固定カム５１は、図７に示すように、先端に山型状の凹凸部５２を有し、外周面に、筆記具の軸筒内に配したカム溝に係合する複数の突起５３を周状に配列した形状となっており、突起５３は凹凸部５２の頂部５２ａの線状（一点差線状）に位置するように形成してある。一般的に回転カム５４は、図８に示すように、カム溝に係合する複数のカム突起５５を外周面に周状に設け、カム突起５５の後端（図において上側部分）を前記凹凸部５２に噛合う傾斜面５６ａで構成した噛合部５６を設けてある。
【０００６】
図９に示すように、固定カム５１の突起５３および回転カム５４のカム突起５５をカム溝５７に係合した際に、凹凸部５２の頂部５２ａは噛合部５６の傾斜面５６ａの中間点に位置するように設けてある。ノック体（図示せず）を軸筒の先端方向に押圧すると、ノック体に連動して固定カム５１は深いカム溝５７−１と浅いカム溝５７−２に係合した突起５３に導かれて、固定カム５１に連接した回転カム５４は深いカム溝５７−１に係合したカム突起５５ａ、５５ｂに導かれて前進する。カム突起５５ａ、５５ｂが深いカム溝５７−１の先端に達してカム溝５７−１から離脱すると、固定カム５１の凹凸部５２の頂部５２ａは回転カム５４の噛合部５６の傾斜面の中間に位置しており、回転カム５４はばね（図示せず）により後方へ付勢された筆記体（図示せず）の後端部と当接しているので、回転カム５４は後方へ後退しようとして右側から左側に回転し（図において、噛合部５６の傾斜面５６ａが右下がりのため）、回転カム５４の噛合部５６は固定カム５１の凹凸部５２を滑って、カム突起５５ａは突片５８ａの先端の傾斜壁面５９−１に衝接する。この時に、１つ目のノック音が発生する。
【０００７】
次に、回転カム５４のカム突起５８ａの噛合部５６が前記傾斜壁面５９−１を滑り、カム突起５５ａの後端（図において上側）が係止部６０を構成する隣の突片５８ｂに衝接して係止部６０に係止する。この時に、回転カム５４のカム突起５５ａが突片５８ｂに衝接することによる２つ目のノック音が発生する。
【０００８】
筆記体の筆記先端部の軸筒の先端開口部への没入時は、ノック体（図示せず）の押圧により固定カム５１および回転カム５４は前進し、前記した理由と同様な理由から回転カム５４が後方へ後退しようとして回転し（図において右側から左側方向に）、係止部６０より離脱すると、回転カム５４の噛合部５６は固定カム５１の凹凸部５２を滑って、カム突起５５ａは突片５８ｂの先端の傾斜壁面５９−２に衝接する。この時に、３つ目のノック音が発生する。
【０００９】
次に、回転カム５４のカム突起５８ａの噛合部５６が前記傾斜壁面５９−２を滑り、カム突起５５ａの後端（図において上側）が隣の突片５８ｃの壁面６１に衝接して、カム溝５７−１に沿って後退し、元の位置に復帰する。この時に、回転カム５４のカム突起５５ａが突片５８ｃに衝接することによる４つ目のノック音が発生する。
【００１０】
したがって、こうした４つのノック音を低減するには、回転カムの回転力や回転速度を弱めれば良いことはすぐに判る。それには、回転カムと軸筒の内壁面との間に回転抑制部材を介在すれば、回転抑制部材が回転カムの回転の際の抵抗となり、回転カムの回転力や回転速度を弱められる。しかし、回転カムはカム溝に沿って前後動し、また回転カムのカム突起はカム溝に係合しており、現実問題として、軸筒の内壁面との間に回転抑制部材を介在することは困難である。また、一般的に回転カムの前端には筆記体の後端を当接して筆記体を配してあり、筆記体の後端と回転カムの前端との間に回転抑制部材を介在する手段もあるが、中には回転カムの回転に連動して回転する構造のものもあり、そうした構造のものに対しては、回転カムの回転力や回転速度を弱めることはできない。
【００１１】
なお、実開昭５７−１６３３７６号公報には、押出式ボールペン（ノック式ボールペン）において、回転カム（２０２）とボール付インキ管（３）の末端との間に筆圧緩衝用の弾性部材（５）を介在させた考案が提案されており、筆圧緩衝用の弾性部材（５）としてコイルスプリングが開示されているが、あくまでも筆圧緩衝用としての弾性部材であり、回転カム（２０２）が回転する際にその回転力や回転速度を弱めるものではない。
【００１２】
本願発明者は、前記したようなカム溝、回転カム、固定カムとで構成される繰出機構を有したノック式筆記具において、特許第３９６０８４７号公報等により公知の技術である、ノック体内に位置する回転カムの後端に連接した軸部に着目し、種々検討した結果、回転カムの軸部に手段を講じることにより、ノック操作にともなう回転カムの回転力や回転速度を弱めることが可能であることを知見し、本発明に至った。
【特許文献１】実開昭５７−１６３３７６号公報
【特許文献２】特許第３９６０８４７号公報
【発明の開示】
【発明が解決しようとする課題】
【００１３】
本発明は、軸筒内にばねにより後方に付勢して前後に移動可能に収容した筆記体の筆記先端部を、カム溝と、該カム溝に係合する突起を周側部に有し先端に凹凸部を有したカム溝に沿って前後に移動可能に設けた固定カムと、カム溝に係合するカム突起を周側部に有し前記凹凸部に噛合う噛合部を有した前端で筆記体の後端部に直接的または間接的に連接し、後端で固定カムに連接しカム溝に沿って前後に移動可能に設けた回転カムと、固定カムを押圧するためのノック体で構成されたノック式繰出機構により、軸筒の先端開口部より出没させるノック式筆記具において、ノック体のノック操作時における回転カムにより発生するノック音を低減したノック式筆記具を提案するものである。
【課題を解決するための手段】
【００１４】
本発明は、
「１．軸筒内にばねにより後方に付勢して前後に移動可能に収容した筆記体の筆記先端部を、軸筒内に設けたカム溝と、該カム溝に係合する突起を周側部に有し先端に凹凸部を有したカム溝に沿って前後に移動可能に設けた固定カムと、カム溝に係合するカム突起を周側部に有し前記凹凸部に噛合う噛合部を有した、前端で筆記体の後端部に直接的または間接的に連接し、後端で固定カムに連接しカム溝に沿って前後に移動可能に設けた回転カムと、固定カムを押圧するためのノック体で構成されたノック式繰出機構により、軸筒の先端開口部より出没させるノック式筆記具において、前記回転カムの後端に、ノック体内に位置する軸部を設けるとともに、ノック体の内壁面と軸部の外表面との間に、回転抑制部材を、ノック体の内壁面と軸部の外表面の両方に当接するように配設し、ノック操作時における回転カムの回転力や回転速度を弱めたことを特徴とするノック式筆記具。
２．軸筒内にばねにより後方に付勢して前後に移動可能に収容した筆記体の筆記先端部を、軸筒内に設けたカム溝と、該カム溝に係合する突起を周側部に有し先端に凹凸部を有したカム溝に沿って前後に移動可能に設けた固定カムと、カム溝に係合するカム突起を周側部に有し前記凹凸部に噛合う噛合部を有した、前端で筆記体の後端部に直接的または間接的に連接し、後端で固定カムに連接しカム溝に沿って前後に移動可能に設けた回転カムと、固定カムを押圧するためのノック体で構成されたノック式繰出機構により、軸筒の先端開口部より出没させるノック式筆記具において、前記回転カムの後端に、回転抑制部材で形成したノック体内に位置する軸部を、該軸部がノック体の内壁面に当接するように設け、ノック操作時における回転カムの回転力や回転速度を弱めたことを特徴とするノック式筆記具。
３．軸筒内にばねにより後方に付勢して前後に移動可能に収容した筆記体の筆記先端部を、軸筒内に設けたカム溝と、該カム溝に係合する突起を周側部に有し先端に凹凸部を有したカム溝に沿って前後に移動可能に設けた固定カムと、カム溝に係合するカム突起を周側部に有し前記凹凸部に噛合う噛合部を有した、前端で筆記体の後端部に直接的または間接的に連接し、後端で固定カムに連接しカム溝に沿って前後に移動可能に設けた回転カムと、固定カムを押圧するためのノック体で構成されたノック式繰出機構により、軸筒の先端開口部より出没させるノック式筆記具において、前記回転カムの後端に、ノック体内に位置する軸部を、後端が指等でノック体を押圧する際にノック体とともに指等に当接可能にノック体の後端に形成した貫通孔より突出するように設け、ノック操作時に、軸部の後端が指等に当接することで回転カムの回転力や回転速度を弱めたことを特徴とするノック式筆記具。」
である。
【００１５】
本発明におけるノック式繰出機構は、前記したようにカム溝、固定カム、回転カムとノック体とで構成されたものであるが、固定カムは、ノック体と別体で形成したものであっても良いし、ノック体の前方に固定カム部５を一体に形成した構造のものであっても良い。
【００１６】
請求項１に係る本発明においては、回転カムの後端に、ノック体内に位置する軸部を設けるとともに、ノック体の内壁面と軸部の外表面との間に、回転抑制部材を、ノック体の内壁面と軸部の外表面の両方に当接するように配設するが、回転抑制部材は軸心方向に移動可能に設けても良いが、好ましくは、ノック操作により移動して軸部の外表面または／およびノック体の内壁面に当接しなくならないように、ノック体の内壁面または軸部の外表面のどちらか一方に固着して配設する方がよい。
【００１７】
本発明における回転抑制部材としては、表面の摩擦抵抗の高いものが好ましい。例えば、固形ゴムや発砲プラスチック、あるいは表面を粗面加工したプラスチック、金属、木材、皮革、紙材、布材、石材、粘土等さまざまなものが挙げられ、各材料を単独あるいは２種以上を組み合わせて用いることもできる。回転抑制部材として好適には、種類の多さや加工性、耐久性また軽量かつ入手のしやすさから鑑みて、固形ゴムが良い。固形ゴムとしては、天然ゴム、イソプレン系ゴム、ブタジエン系ゴム、ジエン系特殊ゴム、オレフィン系ゴム、エーテル系、ポリスルフィド系およびウレタン系ゴム、フッ素系ゴム、シリコーンゴム、熱可塑性エラストマー等がある。
【発明の効果】
【００１８】
本発明のノック式筆記具は前記したような構造なので、ノック操作により、筆記体の筆記先端部を軸筒の先端開口部から出没させる際の、回転カムのカム突起がカム溝の係止部に係止するときに係止部を形成する突片に衝接して発生する衝接音や、筆記体の筆記先端部を軸筒の先端開口部から没入させる際の、回転カムのカム突起が隣のカム溝に係合する際にカム溝を形成する突片に衝接して発生する衝接音は、回転カムの回転力や回転速度が弱まるので、低減する。
【発明を実施するための最良の形態】
【００１９】
本発明のノック式筆記具は、従来より知られている、軸筒内にばねにより後方に付勢して前後に移動可能に収容した筆記体の筆記先端部を、カム溝と、固定カムと、回転カムと、固定カムを押圧するためのノック体で構成されたノック式繰出機構により、筆記体が回転カムの回転とともに回転して軸筒の先端開口部より出没させるノック式筆記具において、回転カムの後端に、ノック体内に挿入する軸部を設け、この軸部に、ノック操作時に、回転カムの回転力や回転速度を弱めるための手段を講じるものである。
【実施例】
【００２０】
実施例を図を用いて説明するが、本実施例ではノック式筆記具としてノック式ボールペンを例にあげて述べるが、これに限定されるものではない。図面中、同じ部材、同じ箇所を示す場合には、同じ符号を付してある。図１〜図４は、請求項１に係る発明の実施例で、図１は、第１の実施例のノック式ボールペンの要部の縦断面図である。図２は、第２の実施例のノック式ボールペンの要部の縦断面図である。図３は、第３の実施例のノック式ボールペンの要部の縦断面図である。図４は、第４の実施例のノック式ボールペンの要部の縦断面図である。図５は、請求項２に係る発明の実施例の、ノック式ボールペンの要部の縦断面図である。図６は、請求項３に係る発明の実施例の、ノック式ボールペンの要部の縦断面図である。
【００２１】
図１に示す、請求項１に係る発明の第１の実施例のノック式ボールペン１は、従来のノック式ボールペンに見られる構造と同様な構造であり、軸筒２の後端部２ａの内壁面にカム溝３を形成してあり、ノック体４を軸筒２の後端開口部２ｂより突出させて設けてある。後端を閉塞した円筒状のノック体４の前方には、先端に山型状の凹凸部（図示せず、図７を参照）を有し、外周面に、前記カム溝３に係合する複数の突起（図示せず、図７を参照）を周状に配列してなる固定カム部５を一体に設けてあり、突起をカム溝３に係合してある。固定カム部５の前方には、前記カム溝３に係合する複数のカム突起（図示せず、図８を参照）を外周面に周状に設け、固定カム部５の凹凸部に噛合う噛合部（図示せず、図８を参照）を有した回転カム７を、カム突起をカム溝３に係合し、カム溝３に沿って前後に移動可能に設けてある。回転カム７の後方は、ノック体４内に位置する軸部８を設けてある。軸部８には、前後を貫通する貫通孔９を形成してあり、回転カム７の内部は前後を貫通した空気通路１０を有した構造としてある。
【００２２】
ばね（図示せず）により後方に付勢したボールペンレフィル６の後端には、ボールペンレフィル６の後端の空間部１１を外部と連通する空気孔１２を有した尾栓１３を挿着してある。尾栓１３の後端面には前記空気孔１２に接続した凹溝１４を設けてある。回転カム７には、尾栓１３を係止する係止部１５を形成してあり、該係止部１５には対向した２カ所に突起１６を設けて、尾栓１３の凹溝１４に係合させることで、回転カム７の回転にともない連動してボールペンレフィル６も回転可能となっている。
【００２３】
本実施例では、前記回転カム７の軸部８の後方に、凹溝（図示せず）を形成して該凹溝に、ニトリルゴムからなる回転抑制部材としてのＯリング１７を接着し、回転カム７の回転を止めることのないようにＯリング１７をノック体４の内壁面４ａに当接させて設けてある。
【００２４】
ノック体４の後端面４ｂには、貫通した空気抜孔１８を設けてあり、ボールペンレフィル６の収容されたインキ（図示せず）の後方の空間部１１は、尾栓１３の空気孔１２と凹溝１４、回転カム７の空気通路１０、ノック体４の内部、ノック体４の空気抜孔１８を介して軸筒２の外部と連通している。
【００２５】
図２に示す、請求項１に係る発明の第２の実施例のノック式ボールペン１は、回転カム７の軸部８の後方に、発泡ポリエチレンからなる円筒状の回転抑制部材１９を前記軸部８に接着し、回転カム７の回転を止めることのないように回転抑制部材１９をノック体４の内壁面４ａに当接させて設けた以外は、前記実施例１のノック式ボールペン１と同様の構造としてある。
【００２６】
図３に示す、請求項１に係る発明の第３の実施例のノック式ボールペン１は、ノック体４の内壁面４ａに凹溝２０を形成し、該凹溝２０にその形状に合わせた発泡ポリエチレンからなる回転抑制部材２１を接着し、回転カム７の回転を止めることのないように回転抑制部材２１の内壁面２１ａを回転カム７の軸部８の周側面８ａに当接させて設けた以外は、前記実施例１のノック式ボールペン１と同様の構造としてある。前記凹溝２０および回転抑制部材２１は、周状に設けても良いし、周状に複数個並列させて設けたものでも良い。
【００２７】
図４に示す、請求項１に係る発明の第４の実施例のノック式ボールペン１は、回転カム７の軸部８の後端面８ｂに、ニトリルゴムからなる前後に貫通した孔２２を有した回転抑制部材２３を接着し、回転カム７の回転を止めることのないように回転抑制部材２３をノック体４の後端面４ｂの内壁面４ｂａに当接させて設けてある。前記孔２２は、前方は回転カム７の軸部８に設けた貫通孔９に、後方はノック体４の後端面４ｂに設けた空気抜孔１８に連通するように設けてある。ボールペンレフィル６の収容されたインキ（図示せず）の後方の空間部１１は、尾栓１３の空気孔１２と凹溝１４、回転カム７の空気通路１０、回転抑制部材２３の孔２２、ノック体４の空気抜孔１８を介して軸筒２の外部と連通している。それ以外は、前記実施例１のノック式ボールペン１と同様の構造としてある。
【００２８】
前記実施例１〜実施例４におけるノック式ボールペン１は、ノック体４へのノック操作による回転カム７の回転の際には、ノック体４の内壁面４ａと回転カム７の軸部８の外表面との間に介在した、Ｏリング１７、回転抑制部材１９、回転抑制部材２１や回転抑制部材２３が抵抗となって、回転カム７の回転力や回転速度は弱まる。
【００２９】
図５に示す、請求項２に係る発明の実施例のノック式ボールペン１は、回転カム７における軸部を、ニトリルゴムで形成した軸部２４を回転カム７の後端に接着して設けるとともに、回転カム７の回転を止めることのないように軸部２４の周側面２４ａをノック体４の内壁面４ａに当接させて設けてある。軸部２４の軸心方向の全長は、前記請求項１に係る発明の実施例１における軸部８より短くしてあり、前記した軸部８と同様に、軸部２４には貫通孔２５を設けてある。軸部２４を回転抑制部材２６とした以外は、前記請求項１に係る発明の実施例１のノック式ボールペン１と同様の構造としてある。
【００３０】
前記請求項２に係る発明の実施例におけるノック式ボールペン１は、ノック体４へのノック操作による回転カム７の回転の際には、軸部２４として形成した回転抑制部材２６が、ノック体４の内壁面４ａに当接し、回転抑制部材２６が抵抗となって、回転カム７の回転力や回転速度は弱まる。
【００３１】
図６に示す、請求項３に係る発明の実施例のノック式ボールペン１は、回転カム７の後端に、ノック体４の後端面４ｂに設けた開口部４ｃより後端２７ａが若干外方に突出するように後方に延びた軸部２７を設け、ノック操作において、指等（図示せず）でノック体４の後端面４ｂを押圧した際に、指等がノック体４とともに軸部２７の後端面２７ａに当接するようにしてある。また軸部２７には、前記した軸部８と同様に、軸部２７には貫通孔２８を設けてある。ボールペンレフィル６の収容されたインキ（図示せず）の後方の空間部１１は、尾栓１３の空気孔１２と凹溝１４、回転カム７の軸部２６の貫通孔２７を含んだ空気通路１０を介して軸筒２の外部と連通している。それ以外は、前記請求項１に係る発明の実施例１のノック式ボールペン１と同様の構造としてある。
【００３２】
前記請求項３に係る発明の実施例におけるノック式ボールペン１は、ノック体４へのノック操作の際に、指等がノック体４とともに回転カム７の軸部２６に当接するので、回転カム７の回転力や回転速度は弱まる。
【産業上の利用可能性】
【００３３】
本発明は、軸筒内に配したカム溝、回転カム、固定カムおよびノック体とで構成されたノック式繰出機構を有した、ボールペンやマーカー等のノック式筆記具や、修正液等を収容した塗布具、化粧液等を収容したノック式の化粧具、描画用等の固形芯を備えた描画具等において、ノック操作時に発生するノック音を低減する場合に、利用することができる。
【図面の簡単な説明】
【００３４】
【図１】請求項１に係る発明の第１の実施例で、ノック式ボールペンの要部の縦断面図である。
【図２】請求項１に係る発明の第２の実施例で、ノック式ボールペンの要部の縦断面図である。
【図３】請求項１に係る発明の第３の実施例で、ノック式ボールペンの要部の縦断面図である。
【図４】請求項１に係る発明の第４の実施例で、ノック式ボールペンの要部の縦断面図である。
【図５】請求項２に係る発明の実施例で、ノック式ボールペンの要部の縦断面図である。
【図６】請求項３に係る発明の実施例で、ノック式ボールペンの要部の縦断面図である。
【図７】一般的な固定カムの側面図である。
【図８】一般的な回転カムの側面図である。
【図９】ノック式筆記具におけるカム溝と、固定カムの凹凸部と突起と、回転カムの噛合部とカム突起の位置関係を示した概念図である。
【符号の説明】
【００３５】
１  ノック式ボールペン
２  軸筒
３  カム溝
４  ノック体、４ａ  内壁面、４ｂ  後端面
５  固定カム部
６  ボールペンレフィル
７  回転カム
８、２４、２７  軸部
１７  Ｏリング
１９、２１、２３、２６  回転抑制部材
【図１】
2009292070.tif 000003
【図２】
2009292070.tif 000004
【図３】
2009292070.tif 000005
【図４】
2009292070.tif 000006
【図５】
2009292070.tif 000007
【図６】
2009292070.tif 000008
【図７】
2009292070.tif 000009
【図８】
2009292070.tif 000010
【図９】
2009292070.tif 000011